(57)【要約】  本発明は、通信技術の分野に関し、帯域幅情報通知方法、サービス処理方法、ネットワークノード、及び通信システムが提供され、帯域幅情報通知方法は、マイクロ波リンクの現在リンク帯域幅情報を獲得し、リンク帯域幅情報とサービス帯域幅情報との間の対応する関係に応じて現在リンク帯域幅情報の場合にマイクロ波リンクのサービス接続に割り当てられたマイクロ波リンクのサービス帯域幅情報を決定し、サービス接続のエンドポイントが割り当てられたサービス帯域幅情報に応じてサービスポリシーを調整することができるように、割り当てられたサービス帯域幅情報をサービス接続のエンドポイントにサービス接続を介して送信することを含む。本発明によれば、マイクロ波リンクが現在リンク帯域幅情報である場合に、マイクロ波リンクのサービス接続のエンドポイントはサービス接続のため割り当てられた帯域幅情報を取得することができる。
2013503583.tif 000002
【特許請求の範囲】
【請求項１】
リンクの現在リンク帯域幅情報を取得することと、
リンク帯域幅情報と前記リンクを通過するサービス接続のサービス帯域幅情報との間のマッピング関係に応じて、前記現在リンク帯域幅情報に対応して、前記リンクが位置しているサービス接続に割り当てられたサービス帯域幅情報を決定することと、
前記サービス接続のエンドポイントが前記割り当てられたサービス帯域幅情報に応じてサービスポリシーを調整するように、前記割り当てられたサービス帯域幅情報を前記サービス接続の前記エンドポイントに前記サービス接続を介して送信することと、
を備える、帯域幅情報を通知する方法。
【請求項２】
前記リンクは、マイクロ波リンクであり、
前記リンクの前記現在リンク帯域幅情報を取得することは、
前記マイクロ波リンクの現在変調モードを検出することと、
前記現在変調モードの下で前記マイクロ波リンクの帯域幅情報を取得することと、
を含む、
請求項１に記載の帯域幅情報を通知する方法。
【請求項３】
前記割り当てられたサービス帯域幅情報を決定する前に、
前記現在リンク帯域幅情報が最適リンク帯域幅情報より低いかどうかを判定することをさらに備える、
請求項１または２に記載の帯域幅情報を通知する方法。
【請求項４】
前記割り当てられたサービス帯域幅情報を送信する前に、
前記割り当てられたサービス帯域幅情報が最適リンク帯域幅情報より低いかどうかを判定することをさらに備える、
請求項１または２に記載の帯域幅情報を通知する方法。
【請求項５】
リンクにより接続されたネットワークノードによってリンク帯域幅情報とサービス接続のサービス帯域幅情報との間のマッピング関係に応じて決定された、現在リンク帯域幅情報に対応する前記サービス接続に割り当てられたサービス帯域幅情報を受信することと、
サービス帯域幅情報とサービスポリシーとの間の予め定められたマッピング関係に応じて、前記割り当てられたサービス帯域幅情報に対応するサービスポリシーを決定することと、
前記決定されたサービスポリシーに応じてサービス処理を実行することと、
を備える、サービスを処理する方法。
【請求項６】
リンクの現在リンク帯域幅情報を取得するように構成されている取得ユニットと、
リンク帯域幅情報とサービス接続のサービス帯域幅情報との間のマッピング関係に応じて、前記取得ユニットによって取得された前記現在リンク帯域幅情報に対応して、前記リンクが位置しているサービス接続に割り当てられたサービス帯域幅情報を決定するように構成されている決定ユニットと、
前記サービス接続のエンドポイントが、前記決定ユニットによって決定されて前記サービス接続に割り当てられたサービス帯域幅情報に応じてサービスポリシーを調整するように、前記サービス帯域幅情報を前記サービス接続の前記エンドポイントに前記サービス接続を介して送信するように構成されている送信ユニットと、
を備える、ネットワークノード。
【請求項７】
前記リンクは、マイクロ波リンクであり、
前記取得ユニットは、
前記マイクロ波リンクの現在変調モードを検出するように構成されている変調モード検出ユニットと、
前記変調モード検出ユニットによって検出された前記現在変調モードの下で前記マイクロ波リンクの帯域幅情報を取得するように構成されている帯域幅情報取得ユニットと、
を備える、請求項６に記載のネットワークノード。
【請求項８】
前記取得ユニットによって取得された前記現在リンク帯域幅情報が最適リンク帯域幅情報より低いかどうかを判定するように構成されているリンク判定ユニットをさらに備え、
前記決定ユニットは、前記リンク判定ユニットが前記現在リンク帯域幅情報は前記最適リンク帯域幅情報より低いと判定したときに、前記リンク帯域幅情報と前記サービス帯域幅情報との間の前記マッピング関係に応じて、前記取得ユニットによって取得された前記現在リンク帯域幅情報に対応して、前記リンクが位置している前記サービス接続に割り当てられたサービス帯域幅情報を決定するように構成されている、
請求項６または７に記載のネットワークノード。
【請求項９】
前記決定ユニットによって決定されて前記サービス接続に割り当てられた前記サービス帯域幅情報が最適サービス帯域幅情報より低いかどうかを判定するように構成されているサービス判定ユニットをさらに備え、
前記送信ユニットは、前記サービス判定ユニットが前記割り当てられたサービス帯域幅情報は前記最適サービス帯域幅情報より低いと判定したときに、前記割り当てられたサービス帯域幅情報を前記サービス接続のエンドポイントへ前記サービス接続を介して送信するように構成されている、
請求項６または７に記載のネットワークノード。
【請求項１０】
リンクにより接続されたネットワークノードによって、リンク帯域幅情報とサービス接続のサービス帯域幅情報との間のマッピング関係に応じて決定されて現在リンク帯域幅情報に対応するサービス接続に割り当てられたサービス帯域幅情報を受信するように構成されている受信ユニットと、
サービス帯域幅情報とサービスポリシーとの間の予め定められたマッピング関係に応じて、前記受信ユニットによって受信された前記サービス接続に割り当てられたサービス帯域幅情報に対応するサービスポリシーを決定するように構成されている決定ユニットと、
前記決定ユニットによって決定された前記サービスポリシーに応じてサービス処理を実行するように構成されている処理ユニットと、
を備える、ネットワークノード。
【請求項１１】
請求項６〜１０のいずれか１項に記載のネットワークノード
を備える通信システム。
【発明の詳細な説明】
【技術分野】
【０００１】
本発明は、通信技術の分野に関し、特に、帯域幅情報を通知する方法、サービスを処理する方法、ネットワークノード、および通信システムに関する。
【背景技術】
【０００２】
インターネット・プロトコル（ＩＰ）サービスの急速な成長と共に、ＩＰサービスは、徐々に時分割多重化（ＴＤＭ）サービスに取って代わり、主流のサービスタイプになり、ネットワークトラフィックが同様に急速に増加している。しかし、これまでの同期デジタルハイアラーキ（ＳＤＨ）／マルチ・サービス・トランスポート・プラットフォーム（ＭＳＴＰ）設備は、パケットサービスの統計的な多重化機能を十分に活用できず、また、別の態様では、増え続ける帯域幅需要を満たすことができない。したがって、ＳＤＨ設備は、パケット・トランスポート・ネットワーク（ＰＴＮ）設備によって置き換えられ始めている。
【０００３】
その一方で、マイクロ波は、オペレータのネットワークにおいて広く使用されている。現在では、よく利用されるマイクロ波は、ＳＤＨマイクロ波と従来の同期デジタルハイアラーキ（ＰＤＨ）マイクロ波とである。ＳＤＨ設備がＰＴＮ設備によって置き換えられるので、その結果、パケットマイクロ波は、ＳＤＨ／ＰＤＨマイクロ波設備に取って代わり、近年の市場では広く適用されている。パケットマイクロ波は、マイクロ波インターフェイスをもつパケット設備を指す。
【０００４】
マイクロ波リンクは、マイクロ波リンクが帯域幅変化の原因となる天候変化に起因して適応変調（ＡＭ）を実行する点で光ファイバリンクと相違する。さらに、変化した帯域幅は、決まっている。トランスポート・ネットワークは、一般に、非常に高い操作、管理、および保守（ＯＡＭ：Operation, Administration and Management）能力を必要とする。しかし、現在のＰＴＮ  ＯＡＭ機能は、単にいくつかの汎用的なオペレーションに過ぎない。
【０００５】
従来技術についての調査中に、発明者は、ＰＴＮ  ＯＡＭ機能が現在のところは、単にいくつかの一般的なオペレーションであり、したがって、マイクロ波リンクが適応変調を実行した後、サービス接続に割り当てられた帯域幅情報は、マイクロ波リンクが位置しているサービス接続のエンドポイントへ通知できないので、サービスポイントのエンドポイントは依然として、適応変調前の帯域幅に応じてサービストラフィックを制御し、このようにしてサービス輻輳を引き起こすことに気付いた。
【発明の概要】
【発明が解決しようとする課題】
【０００６】
本発明の実施形態は、マイクロ波リンクが位置しているサービス接続のエンドポイントが、現在リンク帯域幅情報に対応するマイクロ波リンクによってサービス接続に割り当てられた帯域幅情報を取得するように、帯域幅情報を通知する方法、サービスを処理する方法、ネットワークノード、および通信システムを提供する。
【課題を解決するための手段】
【０００７】
本発明の実施形態は、
リンクの現在リンク帯域幅情報を取得することと、
リンク帯域幅情報とリンクを通過するサービス接続のサービス帯域幅情報との間のマッピング関係に応じて、現在リンク帯域幅情報に対応して、リンクが位置しているサービス接続に割り当てられたサービス帯域幅情報を決定することと、
サービス接続のエンドポイントが割り当てられたサービス帯域幅情報に応じてサービスポリシーを調整するように、割り当てられたサービス帯域幅情報をサービス接続のエンドポイントにサービス接続を介して送信することと、
を含む、帯域幅情報を通知する方法を提供する。
【０００８】
本発明の実施形態は、
リンクにより接続されたネットワークノードによってサービス接続のため割り当てられたサービス帯域幅情報を受信することと、このサービス帯域幅情報は、リンク帯域幅情報とサービス接続のサービス帯域幅情報との間のマッピング関係に応じて決定され、現在リンク帯域幅情報に対応するサービス接続にリンクから割り当てられたサービス帯域幅情報であり、
サービス帯域幅情報とサービスポリシーとの間の予め定められたマッピング関係に応じて、割り当てられたサービス帯域幅情報に対応するサービスポリシーを決定することと、
決定されたサービスポリシーに応じてサービス処理を実行することと、
を含む、サービスを処理する方法をさらに提供する。
【０００９】
本発明の実施形態は、
リンクの現在リンク帯域幅情報を取得するように構成されている取得ユニットと、
リンク帯域幅情報とサービス接続のサービス帯域幅情報との間のマッピング関係に応じて、取得ユニットによって取得された現在リンク帯域幅情報に対応して、リンクが位置しているサービス接続に割り当てられたサービス帯域幅情報を決定するように構成されている決定ユニットと、
サービス接続のエンドポイントがサービス帯域幅情報に応じてサービスポリシーを調整するように、サービス帯域幅情報をサービス接続のエンドポイントにサービス接続を介して送信するように構成されている送信ユニットと、このサービス帯域幅情報は、サービス接続に割り当てられ、決定ユニットによって決定されており、
を含む、ネットワークノードをさらに提供する。
【００１０】
本発明の実施形態は、
リンクにより接続されたネットワークノードによって、サービス接続のため割り当てられたサービス帯域幅情報を受信するように構成されている受信ユニットと、このサービス帯域幅情報は、リンク帯域幅情報とサービス接続のサービス帯域幅情報との間のマッピング関係に応じて決定され、現在リンク帯域幅情報に対応するサービス接続にリンクから割り当てられたリンク帯域幅情報であり、
サービス帯域幅情報とサービスポリシーとの間の予め定められたマッピング関係に応じて、サービス帯域幅情報に対応するサービスポリシーを決定するように構成されている決定ユニットと、このサービス帯域幅情報は、サービス接続に割り当てられ、受信ユニットによって受信されており、
決定ユニットによって決定されたサービスポリシーに応じてサービス処理を実行するように構成されている処理ユニットと、
を含む、ネットワークノードをさらに提供する。
【００１１】
本発明の実施形態は、本発明の実施形態において提供されたネットワークノードを含む通信システムをさらに提供する。
【発明の効果】
【００１２】
上記から理解されるように、マイクロ波リンクにより接続されたネットワークノードは、マイクロ波リンクの現在リンク帯域幅情報を取得し、現在リンク帯域幅情報に対応して、リンク帯域幅情報とサービス帯域幅情報との間のマッピング関係に応じて、マイクロ波リンクが位置しているサービス接続に割り当てられたサービス帯域幅情報を決定し、割り当てられたサービス帯域幅情報をサービス接続のエンドポイントへ送信してもよい。したがって、サービス接続のエンドポイントは割り当てられたサービス帯域幅情報に応じてサービスポリシーを調整し得るので、マイクロ波リンクの帯域幅がサービス要件を満たすことができ、サービス輻輳が回避される。
【００１３】
本発明の実施形態において技術的解決策を明瞭に説明するため、実施形態を説明するため必要とされる添付図面が以下で簡単に紹介される。明らかに、添付図面は、単に本発明のいくつかの実施形態であり、当業者は、創造的な努力を必要とすることなく、これらの添付図面から他の図面を導き出すことができる。
【図面の簡単な説明】
【００１４】
【図１】本発明の第１の実施形態による帯域幅情報を通知する方法のフローチャートである。
【図２】本発明の第２の実施形態による帯域幅情報を通知する方法のフローチャートである。
【図３】本発明の第３の実施形態による帯域幅情報を通知する方法のフローチャートである。
【図４】本発明の実施形態によるサービスを処理する方法のフローチャートである。
【図５】本発明の第４の実施形態および第５の実施形態による帯域幅情報を通知する方法におけるエンド・ツー・エンド接続のトポロジー図である。
【図６】本発明の第６の実施形態による帯域幅情報を通知する方法におけるエンド・ツー・エンド接続のトポロジー図である。
【図７】本発明の第１の実施形態によるネットワークノードの構成図である。
【図８】本発明の第２の実施形態によるネットワークノードの構成図である。
【図９】本発明の第３の実施形態によるネットワークノードの構成図である。
【図１０】本発明の第４の実施形態によるネットワークノードの構成図である。
【発明を実施するための形態】
【００１５】
本発明の実施形態における技術的解決策は、本発明の実施形態における添付図面を参照して以下で明瞭かつ十分に説明される。明らかに、説明される実施形態は、本発明の実施形態のすべてではなく、ほんの一部である。本発明の実施形態に基づいて、創造的な努力を要することなく、当業者によって得られる他の実施形態すべては、当然ながら本発明の保護範囲に含まれる。
【００１６】
本発明の実施形態において提供される帯域幅情報を通知する方法が最初に説明される。図１は、第１の実施形態による帯域幅情報を通知する方法の手順を説明する。本実施形態では、以下の手順を含むマイクロ波リンクにより接続されたネットワークノードの処理手順が説明される。
【００１７】
１０１：マイクロ波リンクの現在リンク帯域幅情報を取得する。
【００１８】
マイクロ波リンクの現在リンク帯域幅情報は、リアルタイム検出または周期的検出を通じて取得されてもよい。例えば、マイクロ波リンクの現在リンク帯域幅情報は、ネットワークノードの適応変調モジュールによって取得されてもよい。
【００１９】
本発明の実施形態では、マイクロ波リンクの現在リンク帯域幅情報は、以下のモード：マイクロ波リンクの現在変調モードを検出し、マイクロ波リンクの現在リンク帯域幅情報である現在変調モードの下でのマイクロ波リンクの帯域幅情報を取得することで、能動的に取得されてもよい。
【００２０】
マイクロ波リンクの帯域幅は異なる変調モードの下で異なり、各変調モードの下でのマイクロ波リンクの帯域幅は決まっている。したがって、対応する帯域幅情報は、マイクロ波リンクの現在変調モードが決定されたときに取得されてもよい。取得された帯域幅は、帯域幅レベル表示情報または変調モード情報でもよい。
【００２１】
例えば、マイクロ波リンクの最適変調モードは６４直交振幅変調（ＱＡＭ）であり、リンクの帯域幅はこの変調モードの下で１Ｇｂｐｓであり、変調モードが１６ＱＡＭであるときに、リンクの帯域幅は０．６Ｇｂｐｓである。したがって、変調モードは６４ＱＡＭであり、帯域幅レベル表示情報は１Ｇｂｐｓでもよく、変調モードが１６ＱＡＭであるときに、帯域幅レベル表示情報は０．６Ｇｂｐｓでもよい。変調が６４ＱＡＭであるときに、変調モード情報は６４ＱＡＭ変調モードでもよく、変調モードが１６ＱＡＭであるときに、変調モード情報は１６ＱＡＭ変調モードでもよい。本発明の実施形態では、帯域幅レベル表示情報は、具体的な帯域幅値ではなく、帯域幅値を表現する番号でもよい。例えば、７は１Ｇｂｐｓを表現し、５は０．６Ｇｂｐｓを表現する。したがって、６４ＱＡＭ変調モードの場合、帯域幅レベル表示情報は７でもよく、１６ＱＡＭ変調モードの場合、帯域幅レベル表示情報は５でもよい。具体的に、どの番号がどの帯域幅値を表現するかは、必要に応じて構成されてもよい。
【００２２】
１０２：リンク帯域幅情報とサービス帯域幅情報との間のマッピング関係に応じて、現在リンク帯域幅情報に対応して、マイクロ波リンクが位置しているサービス接続にマイクロ波リンクから割り当てられたサービス帯域幅情報を決定する。
【００２３】
マイクロ波リンクは、サービス接続が通過する多重セクションリンクのうちの１セクションである。すなわち、サービス接続の２つのネットワークノードの間の少なくとも１つのリンクは、マイクロ波リンクである。サービス接続は、イーサネット（登録商標）接続、例えば、仮想ローカル・エリア・ネットワーク（ＶＬＡＮ）接続、および、プロバイダ・バックボーン・ブリッジ−トラフィック・エンジニアリング・イーサネット（登録商標）・スイッチ・パス（ＰＢＢ−ＴＥ  ＥＳＰ）接続でもよい。サービス接続は、ラベル・スイッチド・パス（ＬＳＰ）接続でもよく、特に、マルチ・プロトコル・ラベル・スイッチ・ラベル・スイッチド・パス（ＭＰＬＳ  ＬＳＰ）接続のような非イーサネット接続でもよい。
【００２４】
マイクロ波リンクは、１つまたは複数のサービス接続を担うことがあり、各サービス接続は、マイクロ波リンクのリンク帯域幅の全部または一部を占める。マイクロ波リンクにより接続されたネットワークノードは、各サービス接続に割り当てられたサービス帯域幅情報を保持する。マイクロ波リンクの帯域幅が変化するときに、リンク帯域幅情報とサービス帯域幅情報との間の予め定められたマッピング関係に応じて、各サービス接続に割り当てられたサービス帯域幅情報が決定される。
【００２５】
１０３：サービス接続のエンドポイントが割り当てられたサービス帯域幅情報に応じてサービスポリシーを調整するように、割り当てられたサービス帯域幅情報をサービス接続のエンドポイントへサービス接続を介して送信する。
【００２６】
サービス帯域幅情報は、マイクロ波リンクにより接続されたネットワークノードによって帯域幅通知メッセージを通じて送信されてもよい。帯域幅通知メッセージは、アラーム表示信号／抑制（ＡＩＳ：Alarm Indication Signal/Suppression）メッセージ、自動保護スイッチング（ＡＰＳ：Automatic Protection Switching）メッセージ、または、新しい操作、管理、および保守（ＯＡＭ：Operations, Administration, and Maintenance）メッセージでもよい。
【００２７】
本発明の実施形態では、サービス接続に割り当てられたサービス帯域幅情報は、マイクロ波リンクが位置しているサービス接続のエンドポイントへＡＩＳメッセージを介して送信されてもよい。既存のＡＩＳメッセージは、割り当てられたサービス帯域幅情報を搬送できない。したがって、既存のＡＩＳメッセージは拡張されて、割り当てられたサービス帯域幅情報を搬送できるようにされてもよい。
【００２８】
本発明の別の実施形態では、サービス接続に割り当てられたサービス帯域幅情報は、同様に、マイクロ波リンクが位置しているサービス接続のエンドポイントへＡＰＳメッセージを介して送信されてもよい。既存のＡＰＳメッセージは、割り当てられたサービス帯域幅情報を搬送できない。したがって、既存のＡＰＳメッセージは拡張されて、割り当てられたサービス帯域幅情報を搬送できるようにされてもよい。
【００２９】
本発明の別の実施形態では、割り当てられたサービス帯域幅情報は、同様に、新しいＯＡＭメッセージを通じて送信されてもよい。新しいＯＡＭメッセージは、新たに定義されたＯＡＭメッセージでもよく、別の既存のＯＡＭメッセージを拡張することにより取得されるメッセージでもよい。
【００３０】
上記から理解されるように、本実施形態では、マイクロ波リンクにより接続されたネットワークノードは、マイクロ波リンクの現在リンク帯域幅情報を取得し、リンク帯域幅情報とサービス帯域幅情報との間のマッピング関係に応じて、現在リンク帯域幅情報に対応して、マイクロ波リンクが位置しているサービス接続にマイクロ波リンクから割り当てられたサービス帯域幅情報を決定し、そして、サービス接続のエンドポイントが割り当てられたサービス帯域幅情報に応じてサービスポリシーを調整するように、割り当てられたサービス帯域幅情報をサービス接続のエンドポイントへ送信し得るので、その結果、マイクロ波リンクの帯域幅はサービス要件を満たすことが可能であり、サービス輻輳が回避される。
【００３１】
図２は、本発明の第２の実施形態による帯域幅情報を通知する方法の手順を説明する。本実施形態では、以下の手順を含むマイクロ波リンクにより接続されたネットワークノードの処理手順が説明される。
【００３２】
２０１：マイクロ波リンクの現在リンク帯域幅情報を取得する。
具体的な実行は、１０１を参照しておこなってもよい。
【００３３】
２０２：現在リンク帯域幅情報が最適リンク帯域幅情報より低いかどうかを決定する。現在リンク帯域幅情報が最適リンク帯域幅情報より低い場合、２０３へ進み、現在リンク帯域幅情報が最適リンク帯域幅情報より低くない場合、２０１へ進む。
最適リンク帯域幅情報は、最適変調モードにおけるマイクロ波リンクの帯域幅情報である。
【００３４】
２０３：リンク帯域幅情報とサービス帯域幅情報との間のマッピング関係に応じて、現在リンク帯域幅情報に対応して、マイクロ波リンクが位置しているサービス接続にマイクロ波リンクから割り当てられたサービス帯域幅情報を決定する。
具体的な実行は、１０２を参照しておこなってもよい。
【００３５】
２０４：サービス接続のエンドポイントが割り当てられたサービス帯域幅情報に応じてサービスポリシーを調整するように、割り当てられたサービス帯域幅情報をサービス接続のエンドポイントへサービス接続を介して送信する。
具体的な実行は、１０３を参照しておこなってもよい。
【００３６】
上記から理解されるように、本実施形態では、マイクロ波リンクにより接続されたネットワークノードは、マイクロ波リンクの現在リンク帯域幅情報を取得し、リンク帯域幅情報とサービス帯域幅情報との間のマッピング関係に応じて、現在リンク帯域幅情報に対応して、マイクロ波リンクが位置しているサービス接続にマイクロ波リンクから割り当てられたサービス帯域幅情報を決定し、そして、サービス接続のエンドポイントが割り当てられたサービス帯域幅情報に応じてサービスポリシーを調整するように、割り当てられたサービス帯域幅情報をサービス接続上のエンドポイントに送信し得るので、その結果、マイクロ波リンクの帯域幅はサービス要件を満たすことが可能であり、サービス輻輳が回避される。
【００３７】
本発明の第２の実施形態において提供される帯域幅情報を通知する方法では、マイクロ波リンクの取得された現在リンク帯域幅情報が最適帯域幅情報より低いときに限り、マイクロ波リンクにより接続されたネットワークノードは、現在リンク帯域幅情報に対応して、マイクロ波リンクが位置しているサービス接続にマイクロ波リンクから割り当てられたサービス帯域幅情報を決定して、送信する。その結果、マイクロ波リンクの現在リンク帯域幅情報が最適リンク帯域幅情報である場合、サービス接続のエンドポイントが標準的なサービスポリシーを使用することによりサービス処理を実行するように、割り当てられたサービス帯域幅情報をマイクロ波リンクが位置しているサービス接続上のエンドポイントへ送信することが停止され、その結果、マイクロ波リンクにより接続されたネットワークノードの処理量が削減され、マイクロ波リンク資源の完全利用が確実にされ得る。
【００３８】
図３は、本発明の第３の実施形態による帯域幅情報を通知する方法の手順を説明する。本実施形態では、以下の手順を含むマイクロ波リンクにより接続されたネットワークノードの処理手順が説明される。
【００３９】
３０１：マイクロ波リンクの現在リンク帯域幅情報を取得する。
具体的な実行は、ステップ１０１を参照しておこなってもよい。
【００４０】
３０２：リンク帯域幅情報とサービス帯域幅情報との間のマッピング関係に応じて、現在リンク帯域幅情報に対応して、マイクロ波リンクが位置しているサービス接続にマイクロ波リンクから割り当てられたサービス帯域幅情報を決定する。
具体的な実行は、１０２を参照しておこなってもよい。
【００４１】
３０３：割り当てられたサービス帯域幅情報が最適サービス帯域幅情報より低いかどうかを決定する。割り当てられたサービス帯域幅情報が最適サービス帯域幅情報より低い場合、３０４へ進み、割り当てられたサービス帯域幅情報が最適サービス帯域幅情報より低くない場合、３０１へ進む。
最適サービス帯域幅情報は、最適リンク帯域幅情報に対応するマイクロ波リンクによってサービス接続に割り当てられたサービス帯域幅情報である。
【００４２】
３０４：サービス接続のエンドポイントが割り当てられたサービス帯域幅情報に応じてサービスポリシーを調整するように、割り当てられたサービス帯域幅情報をサービス接続のエンドポイントへサービス接続を介して送信する。
具体的な実行は、１０３を参照しておこなってもよい。
【００４３】
上記から理解されるように、本実施形態では、マイクロ波リンクにより接続されたネットワークノードは、マイクロ波リンクの現在リンク帯域幅情報を取得し、リンク帯域幅情報とサービス帯域幅情報との間のマッピング関係に応じて、現在リンク帯域幅情報に対応して、マイクロ波リンクが位置しているサービス接続にマイクロ波リンクから割り当てられたサービス帯域幅情報を決定し、そして、サービス接続のエンドポイントが割り当てられたサービス帯域幅情報に応じてサービスポリシーを調整するように、割り当てられたサービス帯域幅情報をサービス接続のエンドポイントに送信し得るので、その結果、マイクロ波リンクの帯域幅はサービス要件を満たすことが可能であり、サービス輻輳が回避される。
【００４４】
本発明の第３の実施形態において提供される帯域幅情報を通知する方法では、サービス接続に割り当てられたサービス帯域幅情報が最適サービス帯域幅情報より低いときに限り、現在リンク帯域幅情報に対応して、マイクロ波リンクにより接続されたネットワークノードが、割り当てられたサービス帯域幅情報を送信する。その結果、現在リンク帯域幅情報に対応してサービス接続に割り当てられたサービス帯域幅の情報が最適サービス帯域幅情報である場合、サービス接続のエンドポイントが標準的なサービスポリシーを使用することによりサービス処理を実行するように、割り当てられたサービス帯域幅情報をマイクロ波リンクが位置しているサービス接続のエンドポイントへ送信することが停止され、その結果、マイクロ波リンクにより接続されたネットワークノードの処理量が削減され、マイクロ波リンク資源の完全利用が確保され得る。
【００４５】
図４は、実施形態によるサービスを処理する方法の手順を説明する。本実施形態では、以下の手順を含む、マイクロ波リンクが位置しているサービス接続のエンドポイントの処理手順が説明される。
【００４６】
４０１：サービス接続のため割り当てられたサービス帯域幅情報を受信する。割り当てられたサービス帯域幅情報は、リンク帯域幅情報とサービス帯域幅情報との間のマッピング関係に応じて、マイクロ波リンクにより接続されたネットワークノードにより決定されて、割り当てられたサービス帯域幅情報は、現在リンク帯域幅情報に対応するサービス接続に割り当てられたサービス帯域幅情報である。
【００４７】
本発明の実施形態では、マイクロ波リンクの現在リンク帯域幅情報は、最適リンク帯域幅情報より低く、割り当てられたサービス帯域幅情報は、マイクロ波リンクにより接続されたネットワークノードにより周期的または非周期的に送信されてもよい。
【００４８】
４０２：サービス帯域幅情報とサービスポリシーとの間の予め定められたマッピング関係に応じて、割り当てられたサービス帯域幅情報に対応するサービスポリシーを決定する。
【００４９】
サービス接続に割り当てられたサービス帯域幅情報が受信された後、割り当てられたサービス帯域幅情報に対応するサービスポリシーが決定されるように、サービス帯域幅情報とサービスポリシーとの間のマッピング関係が予め定められてもよい。サービスポリシーは、具体的には、サービス品質（ＱｏＳ：サービス品質）ポリシー、アクセス制御ポリシー、または、サービス切り替えポリシーでもよい。
【００５０】
例えば、本発明の実施形態では、サービス帯域幅情報とＱｏＳポリシーとの間のマッピング関係が予め定められてもよく、したがって、割り当てられたサービス帯域幅情報が受信された後、サービス処理が決定されたＱｏＳポリシーに応じて実行されるように、割り当てられたサービス帯域幅情報に対応するＱｏＳポリシーが決定されてもよい。具体的には、サービス接続のエンドポイントは、サービス帯域幅情報とサービス・バッファ・エリアの境界（waterline）との間のマッピング関係を予め定めてもよい。例えば、マイクロ波リンクの帯域幅がより大きいときに、より大きいサービス・バッファ・エリアが設定されてもよく、マイクロ波リンクの帯域幅がより小さいときに、より小さいサービス・バッファ・エリアが設定されてもよい。その結果、割り当てられたサービス帯域幅情報を受信した後、サービス接続のエンドポイントは、割り当てられたサービス帯域幅情報によって指示された帯域幅サイズに対応する位置の境界を調整する。その結果、サービス・バッファ・エリアのサイズが調整され、ＱｏＳポリシーの調整が実現される。
【００５１】
本発明の別の実施形態では、サービス帯域幅情報とサービス切り替えポリシーとの間のマッピング関係が予め定められてもよく、その結果、割り当てられたサービス帯域幅情報が受信された後、割り当てられたサービス帯域幅情報に対応するサービス切り替えポリシーが決定され、サービスが、決定されたサービス切り替えポリシーに応じて保護パスに切り替えられる。サービスは、様々なサービス切り替えポリシーに応じて、部分的または完全に保護パスに切り替えられることがある。
【００５２】
割り当てられたサービス帯域幅情報の複数の異なる情報が受信された場合、割り当てられたサービス帯域幅情報の複数の異なる情報は複数の異なる帯域幅に対応している。この時点で、最小帯域幅に対応している割り当てられたサービス帯域幅情報が選択されてもよい。
【００５３】
４０３：決定されたサービスポリシーに応じてサービス処理を実行する。
【００５４】
具体的に、サービス処理は、割り当てられたサービス帯域幅情報に対応するＱｏＳポリシー、割り当てられたサービス帯域幅情報に対応するアクセス制御ポリシー、または、割り当てられたサービス帯域幅情報に対応するサービス切り替えポリシーに応じて実行されてもよい。
【００５５】
上記から理解されるように、本実施形態では、マイクロ波リンクが位置しているサービス接続のエンドポイントは、マイクロ波リンクにより接続されたネットワークノードにより送信され、サービス接続に割り当てられたサービス帯域幅情報を受信し、割り当てられたサービス帯域幅情報に応じてサービスポリシーを調整し得るので、その結果、マイクロ波リンクの帯域幅はサービス要件を満たすことができ、サービス輻輳が回避される。
【００５６】
本発明の別の実施形態では、マイクロ波リンクの現在リンク帯域幅情報が最適リンク帯域幅情報より低いときに限り、マイクロ波リンクにより接続されたネットワークノードは、サービス接続に割り当てられたサービス帯域幅情報をサービス接続のエンドポイントへ送信する。その結果、マイクロ波リンクが位置しているサービス接続のエンドポイントが予め定められた時間内に割り当てられたサービス帯域幅情報を受信しない場合、マイクロ波リンクの現在リンク帯域幅情報は最適リンク帯域幅情報であり、すなわち、割り当てられたサービス帯域幅情報は、マイクロ波リンクにより接続されたネットワークノードの処理量を削減し得る最適サービス帯域幅情報であり、その結果、サービス処理は標準的なサービスポリシーを使用することにより実行され、マイクロ波リンク資源の完全利用が確保されると考えられる。標準的なサービスポリシーは、標準的なＱｏＳポリシー、標準的なアクセス制御ポリシー、または通常のサービス切り替えポリシーでもよい。サービスポリシーが標準的なサービス切り替えポリシーであるときに、サービスは保護パスから作業パスへ切り替えられる。
【００５７】
本発明の別の実施形態では、サービス接続に割り当てられたサービス帯域幅情報が最適サービス帯域幅情報より低いときに限り、現在リンク帯域幅情報に対応して、マイクロ波リンクにより接続されたネットワークノードは、割り当てられたサービス帯域幅情報をサービス接続のエンドポイントへ送信する。その結果、マイクロ波リンクが位置しているサービス接続のエンドポイントが予め定められた時間内に割り当てられたサービス帯域幅情報を受信しない場合、現在リンク帯域幅情報に対応するサービス接続にマイクロ波リンクから割り当てられたサービス帯域幅情報が最適サービス帯域幅情報であり、その結果、サービス処理は標準的なサービスポリシーを使用することにより実行され、マイクロ波リンクにより接続されたネットワークノードの処理量を削減し、マイクロ波リンク資源の完全利用を確保すると考えられる。標準的なサービスポリシーは、標準的なＱｏＳポリシー、標準的なアクセス制御ポリシー、または通常のサービス切り替えポリシーでもよい。サービスポリシーが標準的なサービス切り替えポリシーであるときに、サービスは保護パスから作業パスへ切り替えられる。
【００５８】
具体的な例を用いて、本発明の第４の実施形態による帯域幅情報を通知する方法が以下の通り説明される。
【００５９】
図５は、本発明の第４の実施形態による帯域幅情報を通知する方法のネットワーク接続のトポロジーを説明する。図５に示されるように、第１のサービス接続５０１は、ネットワークノードＡと、ネットワークノードＢと、ネットワークノードＣと、ネットワークノードＤと、ネットワークノードＥと、ネットワークノードＦとを通過し、第２のサービス接続５０２は、ネットワークノードＧと、ネットワークノードＨと、ネットワークノードＢと、ネットワークノードＣと、ネットワークノードＤと、ネットワークノードＥと、ネットワークノードＦとを通過する。ネットワークノードＣとネットワークノードＤとの間のリンクはマイクロ波リンク５０３である。ネットワークノードＡとネットワークノードＦとは第１のサービス接続５０１のエンドポイントであり、ネットワークノードＧとネットワークノードＦとは第２のサービス接続５０２のエンドポイントである。一部の実施形態では、ネットワークノードＣとネットワークノードＤとの間のリンクはマイクロ波リンクであるが、本発明の原理は、どんなタイプの通信リンクに、例えば、可変帯域幅をもつ衛星リンク、受動光ネットワークリンク、および、デジタル加入者回線リンクに適用されてもよい。
【００６０】
標準的な状況では、ネットワークノードＣとネットワークノードＤとの間のマイクロ波リンク５０３は６４ＱＡＭ変調モードを採用し、リンクの最適帯域幅は１Ｇｂｐｓであると仮定される。第１のサービス接続５０１および第２のサービス接続５０２に割り当てられた最適サービス帯域幅はそれぞれ５００Ｍｂｐｓおよび３００Ｍｂｐｓである。環境が変化したときに、例えば、雨が降るときに、変調モードは１６ＱＡＭ変調モードに低減され、マイクロ波リンク５０３のリンク帯域幅は０．６Ｇｂｐｓに低減される。リンク帯域幅情報とサービス帯域幅情報との間のマッピング関係に応じて、マイクロ波リンク５０３から第１のサービス接続５０１に割り当てられた第１のサービス帯域幅は２００Ｍｂｐｓであり、マイクロ波リンク５０３から第２のサービス接続５０２に割り当てられた第２のサービス帯域は１５０Ｍｂｐｓであると決定される。
【００６１】
ネットワークノードＣおよびネットワークノードＤは、現在マイクロ波リンク５０３から第１のサービス接続５０１および第２のサービス接続５０２に割り当てられた帯域幅が最適サービス帯域幅より低いときに、第１のサービス接続５０１上で第１のＡＩＳメッセージを送信し、サービス接続５０２上で第２のＡＩＳメッセージを送信する。第１のＡＩＳメッセージおよび第２のＡＩＳメッセージが拡張された後、第１のＡＩＳメッセージは、現在変調モードの下でマイクロ波リンクから第１のサービス接続５０１に割り当てられた第１のサービス帯域幅情報を搬送し、第２のＡＩＳメッセージは、現在変調モードの下でマイクロ波リンクから第２のサービス接続５０２に割り当てられた第２のサービス帯域幅情報を搬送する。具体的には、ネットワークノードＣは、第１のＡＩＳメッセージをネットワークノードＡおよび／またはネットワークノードＦへ送信してもよく、第２のＡＩＳメッセージをネットワークノードＧおよび／またはネットワークノードＦへ送信してもよい。ネットワークＤは、第１のＡＩＳメッセージをネットワークノードＡおよび／またはネットワークノードＦへ送信してもよく、第２のＡＩＳメッセージをネットワークＧおよび／またはネットワークノードＦへ送信してもよい。
【００６２】
本発明の本実施形態では、マイクロ波リンクにより接続されたネットワークノードは、ＡＩＳメッセージを通じて第１のサービス帯域幅情報および第２のサービス帯域幅情報を搬送してもよく、別の具体的なタイプのメッセージ、例えば、ＡＰＳメッセージまたは新しいＯＡＭメッセージを通じて第１のサービス帯域幅情報および第２のサービス帯域幅情報をさらに搬送してもよいことに留意すべきである。
【００６３】
第１のサービス接続５０１の処理は、以下の説明で例として利用される。第２のサービス接続５０２の処理プロセスは、第１のサービス接続５０１の処理プロセスに類似し、ここでは詳述されない。
【００６４】
第１のＡＩＳメッセージは、リンク帯域幅タイプ−長さ−値（ＴＬＶ）オブジェクトを搬送するため拡張され、リンク帯域幅ＴＬＶオブジェクトは、現在リンク帯域幅情報に対応する第１のサービス接続５０１に割り当てられた第１のサービス帯域幅情報を搬送する。第１のサービス帯域幅情報は、具体的な帯域幅値でもよく、さらに帯域幅レベル表示でもよい。
【００６５】
ネットワークノードＡおよびネットワークノードＦが現在リンク帯域幅情報に対応する第１のサービス接続５１０に割り当てられた第１のサービス情報帯域幅を受信した後、サービスポリシーが第１の割り当てられたサービス帯域幅情報に応じて調整されてもよい。
【００６６】
具体的な実施モードは、第１のサービス接続に割り当てられた第１のサービス帯域幅情報と第１のサービス接続のＱｏＳポリシーとの間のマッピング関係がネットワークノードＡおよびＦに構成され、第１のサービス接続５０１の第１のサービス帯域幅情報を受信するときに、ネットワークノードＡおよびＦは、サービスが第１のサービス接続５０１の入口（ネットワークノードＡおよびＦ）で制御されるように、第１のサービス帯域幅情報に対応するＱｏＳポリシーの使用を開始し、その結果、サービスがマイクロ波リンクを通過するときに輻輳状況が回避されるようなものでもよい。
【００６７】
別の具体的な実施モードは、第１のサービス接続５０１に割り当てられた第１のサービス帯域幅情報とサービス切り替えポリシーとの間のマッピング関係がネットワークノードＡおよびＦに構成され、第１のサービス接続５０１の第１のサービス帯域幅情報を受信するときに、ネットワークノードＡおよびＦは、第１のサービス帯域幅情報に対応するサービス切り替えポリシーの使用を開始し、サービスの一部または全部が保護パスに切り替えられるようなものでもよい。
【００６８】
環境が改善し、マイクロ波リンクが最適変調モードに戻されるときに、ネットワークノードＣおよびＤは、第１のＡＩＳメッセージの送信を停止する。
【００６９】
ネットワークノードＡおよびＦが第１の帯域幅情報を搬送するＡＩＳメッセージの受信に失敗したときに、サービス処理は、標準的なサービスポリシーを使用することによって実行されてもよい。
【００７０】
上記から理解されるように、本実施形態では、マイクロ波リンクにより接続されたネットワークノードは、リンク帯域幅情報とサービス帯域幅情報との間のマッピング関係に応じて、現在リンク帯域幅を取得し、現在リンク帯域幅情報に対応して、マイクロ波リンクが位置しているサービス接続に割り当てられたサービス帯域幅情報を決定し、そして、サービス接続のエンドポイントが割り当てられたサービス帯域幅情報に応じてサービスポリシーを調整するように、割り当てられたサービス帯域幅情報をサービス接続のエンドポイントへ送信し得るので、その結果、マイクロ波リンクの帯域幅がサービス要件を満たすことが可能であり、サービス輻輳が回避される。
【００７１】
本発明の第４の実施形態において提供される帯域幅情報を通知する方法では、マイクロ波リンク５０３の変調モードが１６ＱＡＭ変調モードに低減される場合、マイクロ波リンク５０３のリンク帯域幅は０．６Ｇｂｐｓに低減される。リンク帯域幅情報とサービス帯域幅情報との間のマッピング関係に応じて、マイクロ波リンク５０３から第１のサービス接続５０１に割り当てられた第１のサービス帯域幅は５００Ｍｂｐｓであり、マイクロ波リンク５０３から第２のサービス接続５０２に割り当てられた第２のサービス帯域幅は５０Ｍｂｐｓであることが決定される。すなわち、第１のサービス接続５０１に割り当てられた第１のサービス帯域幅は依然として最適サービス帯域幅である。したがって、ネットワークノードＣは、第１のＡＩＳメッセージをネットワークノードＡおよび／またはネットワークノードＦへ送信しなくてもよく、ネットワークノードＤは、第１のＡＩＳメッセージをネットワークノードＡおよび／またはネットワークノードＦへ送信しなくてもよい。
【００７２】
本発明の第５の実施形態において提供される帯域幅情報を通知する方法は、例として図５に説明されているシナリオを利用することにより説明される。図５に示されるように、第１のサービス接続５０１は、ネットワークノードＡと、ネットワークノードＢと、ネットワークノードＣと、ネットワークノードＤと、ネットワークノードＥと、ネットワークノードＦとを通過し、第２のサービス接続５０２は、ネットワークノードＧと、ネットワークノードＨと、ネットワークノードＢと、ネットワークノードＣと、ネットワークノードＤと、ネットワークノードＥと、ネットワークノードＦとを通過する。ネットワークノードＣとネットワークノードＤとの間のリンクはマイクロ波リンク５０３である。ネットワークノードＡおよびネットワークノードＦは第１のサービス接続５０１のエンドポイントであり、ネットワークノードＧおよびネットワークノードＦは第２のサービス接続５０２のエンドポイントである。サービス接続５０１および第２のサービス接続５０２は、具体的にＬＳＰでもよい。
【００７３】
標準的な状況では、ネットワークノードＣとネットワークノードＤとの間のマイクロ波リンク５０３は６４ＱＡＭ変調モードを採用し、最適リンク帯域幅は１Ｇｂｐｓであると仮定される。第１のサービス接続５０１および第２のサービス接続５０２に割り当てられた最適サービス帯域幅はそれぞれ５００Ｍｂｐｓおよび３００Ｍｂｐｓである。ネットワークノードＣおよびＤは、リアルタイムでマイクロ波リンク５０３の現在リンク帯域幅情報を取得し、標準的な周期で第１のサービス接続５０１を経由して第１の帯域幅通知メッセージをネットワークノードＡおよび／またはネットワークノードＦへ周期的に送信し、この第１の帯域幅通知メッセージは、リンク現在帯域幅情報に対応する第１のサービス接続５０１にマイクロ波リンクから割り当てられた第１のサービス帯域幅情報を搬送し、そして、標準的な周期で第２のサービス接続５０２を経由して第２の帯域幅通知メッセージをネットワークノードＧおよび／またはネットワークノードＦへ周期的に送信し、この第２の帯域幅通知メッセージは、現在リンク帯域幅情報に対応する第２のサービス接続５０２にマイクロ波リンクから割り当てられた第２のサービス帯域幅情報を搬送する。帯域幅通知メッセージは、リンク帯域幅ＴＬＶオブジェクトを搬送してもよく、リンク帯域幅ＴＬＶオブジェクトは、対応するサービス接続に割り当てられたサービス帯域幅情報を搬送する。サービス帯域幅情報は、具体的な帯域幅値でもよく、さらに、帯域幅レベル表示でもよい。
【００７４】
環境が変化するときに、例えば、雨が降るときに、マイクロ波リンク５０３の変調モードは１６ＱＡＭ変調モードに低減され、マイクロ波リンク５０３のリンク帯域幅は０．６Ｇｂｐｓに低減される。リンク帯域幅情報とサービス帯域幅情報との間のマッピング関係に応じて、マイクロ波リンク５０３から第１のサービス接続５０１に割り当てられる第１のサービス帯域幅は２００Ｍｂｐｓであり、マイクロ波リンク５０３から第２のサービス接続５０２に割り当てられる第２のサービス帯域幅は１５０Ｍｂｐｓであると決定される。
【００７５】
第２のサービス接続５０２の処理は、以下の説明で例として利用される。第１のサービス接続５０１の処理プロセスは、ここでは詳述されない第２のサービス接続５０２の処理プロセスに類似している。
【００７６】
サービス帯域幅の変化を素早く通知するために、ネットワークノードＣおよびＤは、現在マイクロ波リンク５０３から第２のサービス接続５０２に割り当てられた第２のサービス帯域幅が最適サービス帯域幅より低いときに、第２のサービス接続５０２上でより高い頻度で数個のフレームにおいて第２の帯域幅通知メッセージをネットワークノードＧおよび／またはネットワークノードＦへ送信する。第２の帯域幅通知メッセージは、引き続いて標準的な周期で送信される。例えば、標準的な状況では、第２の帯域幅通知メッセージを送信する標準的な周期は１秒である。第２のサービス帯域幅が変化するときに、第２の帯域幅通知メッセージの最初の３フレームは１０ミリ秒の周期で送信され、引き続いて、第２の帯域幅通知メッセージを送信する周期は１秒に戻される。
【００７７】
ネットワークノードＧおよび／またはネットワークノードＦは、現在リンク帯域幅情報に対応する第２のサービス接続５０２にマイクロ波リンクから割り当てられた第２のサービス帯域幅情報である割り当てられたサービス帯域幅情報を受信する。ネットワークノードＧおよび／またはネットワークノードＦは、第２のサービス帯域幅情報に応じてサービスポリシーを調整し得る。
【００７８】
具体的な実施モードは、第２のサービス帯域幅情報とサービス接続のＱｏＳポリシーとの間のマッピング関係がネットワークノードＧおよびＦ上で構成され、第２のサービス帯域幅がマイクロ波リンクのサービス帯域幅である現在変調モードの下で対応するサービス接続に割り当てられた第２のサービス帯域幅情報を受信するときに、サービスがサービス接続の入口（ネットワークノードＧおよびＦ）で制御されるように、ネットワークノードＧおよびＦが第２のサービス帯域幅情報に対応するＱｏＳポリシーの使用を開始し、その結果、サービスがマイクロ波リンクを通過するときに輻輳状況が回避されるようなものでもよい。
【００７９】
別の具体的な実施モードは、第２のサービス帯域幅情報とサービス切り替えポリシーとの間のマッピング関係がネットワークノードＡおよびＦ上で構成され、マイクロ波リンクの現在変調モードの下で第２のサービス帯域幅情報を受信するときに、ネットワークノードＡおよびＦが第２のサービス帯域幅情報に対応するサービス切り替えポリシーの使用を開始し、サービスの一部または全部が保護パスに切り替えられるようなものでもよい。
【００８０】
上記から理解されるように、本実施形態では、マイクロ波リンクにより接続されたネットワークノードは、マイクロ波リンクの現在リンク帯域幅情報を取得し、リンク帯域幅情報とサービス帯域幅情報との間のマッピング関係に応じて、現在リンク帯域幅情報に対応して、マイクロ波リンクが位置しているサービス接続に割り当てられたサービス帯域幅情報を決定し、そして、サービス接続のエンドポイントが割り当てられたサービス帯域幅情報に応じてサービスポリシーを調整するように、割り当てられたサービス帯域幅情報をサービス接続のエンドポイントへ送信し得るので、その結果、マイクロ波リンクの帯域幅がサービス要件を満たすことが可能であり、サービス輻輳が回避される。
【００８１】
本発明の第６の実施形態において提供される帯域幅情報を通知する方法は、例として図６に説明されているシナリオを利用することにより説明される。図６に示されるように、３つのエンド・ツー・エンド・サービス接続はそれぞれ、第１のサービス接続６０１、第２のサービス接続６０２、および第３のサービス接続６０３である。第１のサービス接続６０１および第２のサービス接続６０２は保護グループを形成し、第１のサービス接続６０１は作業パスであり、第２のサービス接続６０２は保護パスである。第１のサービス接続６０１は、ネットワークノードＡと、ネットワークノードＢと、ネットワークノードＣと、ネットワークノードＤとを通過し、第３のサービス接続は、ネットワークノードＡと、ネットワークノードＢと、ネットワークノードＨと、ネットワークノードＩと、ネットワークノードＪとを通過する。ネットワークノードＡとネットワークノードＢとの間のリンクはマイクロ波リンク６０４であり、第１のサービス接続６０１および第３のサービス接続６０３はマイクロ波リンク６０４を通過する。第２のサービス接続６０２は、ネットワークノードＡと、ネットワークノードＥと、ネットワークノードＦと、ネットワークノードＧと、ネットワークノードＤとを通過する。
【００８２】
標準的な状況では、マイクロ波リンク６０４は６４ＱＡＭ変調モードを採用し、帯域幅は１Ｇｂｐｓであると仮定される。第１のサービス接続６０１および第３のサービス接続６０３に割り当てられたサービス帯域幅はそれぞれ４００Ｍｂｐｓおよび３００Ｍｂｐｓである。環境が変化するときに、例えば、雨が降るときに、変調モードは１６ＱＡＭ変調モードに低減され、帯域幅は０．６Ｇｂｐｓに低減される。リンク帯域幅情報とサービス帯域幅情報との間のマッピング関係に応じて、マイクロ波リンク６０４から第１のサービス接続６０１に割り当てられる第１のサービス帯域幅は２００Ｍｂｐｓであり、マイクロ波リンク６０４から第３のサービス接続６０３に割り当てられる第２のサービス帯域幅は１６０Ｍｂｐｓであると決定される。第１のサービス接続６０１および第２のサービス接続６０２は、以下でＡＰＳメッセージを使用する帯域幅通知を具体的に説明するために例として利用される。
【００８３】
具体的には、ネットワークノードＡが、保護パス６０２によって送信されたＡＰＳメッセージを通じて、第１のサービス接続６０１に割り当てられたサービス帯域幅が最適サービス帯域幅より低いことを獲得したときに、ネットワークノードＡは、現在マイクロ波リンクから第１のサービス接続６０１に割り当てられた第１のサービス帯域幅情報を搬送する。第２のサービス接続６０２が別のマイクロ波リンクを有する場合、ＡＰＳメッセージは、別のマイクロ波リンクから第２のサービス接続６０２に割り当てられた第２のサービス帯域幅情報をさらに搬送してもよい。ＡＰＳメッセージの送信に加えて、ネットワークノードＡは、予め定められた切り替え規則に基づいて、第１のサービス接続６０１の現在の第１の帯域幅情報および／または第２のサービス接続６０２の現在の第２のサービス帯域幅情報に応じて、第１のサービス接続６０１の中で運ばれ、ネットワークノードＡからネットワークノードＤの方向に流れるトラフィックを第２のサービス接続６０２へ部分的または完全にさらに切り替えてもよい。サービス帯域幅情報は、具体的な帯域幅値でもよく、同様に帯域幅レベル表示でもよい。
【００８４】
ネットワークノードＡによって送信されたＡＰＳメッセージを受信した後、ネットワークノードＤは、予め定められた切り替え規則に基づいて、ＡＰＳメッセージの中で搬送される第１のサービス接続６０１の現在の第１の帯域幅情報および／または第２のサービス接続６０２の現在の第２のサービス帯域幅情報に応じて、第１のサービス接続６０１の中で運ばれてネットワークノードＤからネットワークノードＡの方向に流れるトラフィックを第２のサービス接続６０２へ部分的または完全に切り替える。
【００８５】
具体的な実施では、サービス接続に割り当てられたサービス帯域幅が最適帯域幅より低いときに限り、割り当てられたサービス帯域幅情報がＡＰＳメッセージの中で搬送されることは必要ではないことに留意すべきである。作業パスおよび保護パスのサービス帯域幅情報は、周期的に送信されるＡＰＳメッセージの中で常に搬送されてもよい。
【００８６】
上記から理解されるように、本実施形態では、マイクロ波リンクにより接続されたネットワークノードは、マイクロ波リンクの現在リンク帯域幅情報を取得し、リンク帯域幅情報とサービス帯域幅情報との間のマッピング関係に応じて、現在リンク帯域幅情報に対応して、マイクロ波リンクが位置しているサービス接続に割り当てられたサービス帯域幅情報を決定し、そして、サービス接続のエンドポイントが割り当てられたサービス帯域幅情報に応じてサービスポリシーを調整するように、割り当てられたサービス帯域幅情報をサービス接続のエンドポイントへ送信し得るので、その結果、マイクロ波リンクの帯域幅はサービス要件を満たすことが可能であり、サービス輻輳が回避される。
【００８７】
上記方法の実施形態は、説明を容易にするために一連の動作の組み合わせとして説明されることに注意すべきである。しかし、一部のステップは、本発明によれば、別のシーケンスで実行されてもよく、または、同時に実行されてもよいので、当業者は、本発明が説明された動作シーケンスに限定されないことを理解するであろう。当業者は、明細書に記載された実施形態が例示的な実施形態であり、関連する動作およびモジュールが本発明において必ずしも必要とされないことをさらに理解するであろう。
【００８８】
本発明の実施形態において提供されるネットワークノードが以下で紹介される。図７は、第１の実施形態によるネットワークノードの構造を説明し、このネットワークノードは、
【００８９】
マイクロ波リンクの現在リンク帯域幅情報を取得するように構成されている取得ユニット７０１を含む。
【００９０】
マイクロ波リンクの現在リンク帯域幅情報は、リアルタイム検出または周期的検出を使用することにより取得されてもよい。
【００９１】
図７に示されるように、本発明の実施形態によれば、取得ユニット７０１は、マイクロ波リンクの現在変調モードを検出するように構成されている変調モード検出ユニット７０１１と、変調モード検出ユニット７０１１によって検出された現在変調モードの下でマイクロ波リンクの帯域幅情報を取得するように構成されている帯域幅情報取得ユニット７０１２とを含んでもよい。
【００９２】
決定ユニット７０２は、リンク帯域幅情報とサービス帯域幅情報との間のマッピング関係に応じて、取得ユニット７０１によって取得された現在リンク帯域幅情報に対応して、マイクロ波リンクが位置しているサービス接続に割り当てられたサービス帯域幅情報を決定するように構成されている。
【００９３】
サービス接続のエンドポイントが割り当てられたサービス帯域幅情報に応じてサービスポリシーを調整するように、送信ユニット７０３は、決定ユニット７０２によって決定されて、サービス接続に割り当てられたサービス帯域幅情報をサービス接続のエンドポイントへサービス接続を介して送信するように構成されている。
【００９４】
上記から理解されるように、本実施形態では、ネットワークノードは、マイクロ波リンクの現在リンク帯域幅情報を取得し、そして、サービス接続のエンドポイントが割り当てられたサービス帯域幅情報に応じてサービスポリシーを調整するように、リンク帯域幅情報とサービス帯域幅情報との間のマッピング関係に応じて、現在リンク帯域幅情報に対応して、マイクロ波リンクが位置しているサービス接続に割り当てられたサービス帯域幅情報を決定し得るので、その結果、マイクロ波リンクの帯域幅はサービス要件を満たすことが可能であり、サービス輻輳が回避される。
【００９５】
図８は、第２の実施形態によるネットワークノードの構造を説明し、このネットワークノードは、
マイクロ波リンクの現在リンク帯域幅情報を取得するように構成されている取得ユニット８０１と、
取得ユニット８０１によって取得された現在リンク帯域幅情報が最適リンク帯域幅情報より低いかどうかを判定するように構成されているリンク判定ユニット８０２と、
リンク判定ユニット８０２が現在リンク帯域幅情報は最適リンク帯域幅情報より低いと判定したときに、リンク帯域幅情報とサービス帯域幅情報との間のマッピング関係に応じて、取得ユニット８０１によって取得された現在リンク帯域幅情報に対応して、マイクロ波リンクが位置しているサービス接続に割り当てられたサービス帯域幅情報を決定するように構成されている決定ユニット８０３と、
サービス接続のエンドポイントが割り当てられたサービス帯域幅情報に応じてサービスポリシーを調整するように、決定ユニット８０３によって決定され、サービス接続に割り当てられたサービス帯域幅情報を、サービス接続のエンドポイントへサービス接続を介して送信するように構成されている送信ユニット８０４と、
を含む。
【００９６】
本発明の実施形態では、リンク判定ユニット８０２が取得ユニット８０１によって取得された現在リンク帯域幅情報は最適リンク帯域幅情報であると判定したときに、決定ユニット８０３は、現在リンク帯域幅情報に対応するサービス接続に割り当てられたサービス帯域幅情報を決定しない。その結果、送信ユニット８０４は、サービス接続のエンドポイントが標準的なサービスポリシーを使用することによりサービス処理を実行するように、割り当てられたサービス帯域幅情報をマイクロ波リンクが位置しているサービス接続のエンドポイントへ送信することを停止する。
【００９７】
上記から理解されるように、本実施形態では、ネットワークノードは、マイクロ波リンクの現在リンク帯域幅情報を取得し、リンク帯域幅情報とサービス帯域幅情報との間のマッピング関係に応じて、現在リンク帯域幅情報に対応して、マイクロ波リンクが位置しているサービス接続に割り当てられたサービス帯域幅情報を決定し、そして、サービス接続のエンドポイントが割り当てられたサービス帯域幅情報に応じてサービスポリシーを調整するように、割り当てられたサービス帯域幅情報をサービス接続のエンドポイントへ送信し得るので、その結果、マイクロ波リンクの帯域幅はサービス要件を満たすことが可能であり、サービス輻輳が回避される。
【００９８】
図９は、第３の実施形態によるネットワークノードの構造を説明し、このネットワークノードは、
マイクロ波リンクの現在リンク帯域幅情報を取得するように構成されている取得ユニット９０１と、
リンク帯域幅情報とサービス帯域幅情報との間のマッピング関係に応じて、取得ユニット９０１によって取得された現在リンク帯域幅情報に対応して、マイクロ波リンクが位置しているサービス接続に割り当てられたサービス帯域幅情報を決定するように構成されている決定ユニット９０２と、
決定ユニット９０２によって決定されて、サービス接続に割り当てられたサービス帯域幅情報が最適サービス帯域幅情報より低いかどうかを判定するように構成されているサービス判定ユニット９０３と、
サービス判定ユニット９０３がサービス接続に割り当てられたサービス帯域幅情報は最適サービス帯域幅情報より低いと判定したときに、割り当てられたサービス帯域幅情報をサービス接続のエンドポイントへサービス接続を介して送信するように構成されている送信ユニット９０４と、
を含む。
【００９９】
本発明の実施形態では、サービス判定ユニット９０３が、決定ユニット９０２によって決定されて、割り当てられたサービス帯域幅情報が最適サービス帯域幅情報であると判定したときに、送信ユニット９０４は、割り当てられたサービス帯域幅情報をマイクロ波リンクが位置しているサービス接続のエンドポイントへ送信することを停止し、サービス接続のエンドポイントが標準的なサービスポリシーを使用することによりサービス処理を実行するようにし得る。
【０１００】
上記から理解されるように、本実施形態では、ネットワークノードは、マイクロ波リンクの現在リンク帯域幅情報を取得し、リンク帯域幅情報とサービス帯域幅情報との間のマッピング関係に応じて、現在リンク帯域幅情報に対応して、マイクロ波リンクが位置しているサービス接続に割り当てられたサービス帯域幅情報を決定し、そして、サービス接続のエンドポイントが割り当てられたサービス帯域幅情報に応じてサービスポリシーを調整するように、割り当てられたサービス帯域幅情報をサービス接続のエンドポイントへ送信し得るので、その結果、マイクロ波リンクの帯域幅はサービス要件を満たすことが可能であり、サービス輻輳が回避される。
【０１０１】
図１０は、第４の実施形態によるネットワークノードの構造を説明し、このネットワークノードは、
サービス接続のため割り当てられたサービス帯域幅情報を受信するように構成されている受信ユニット１００１と、サービス帯域幅情報は、マイクロ波リンクにより接続されたネットワークノードによって、リンク帯域幅情報とサービス帯域幅情報との間のマッピング関係に応じて決定され、現在リンク帯域幅情報に対応するサービス接続に割り当てられ、
サービス帯域幅情報とサービスポリシーとの間の予め定められたマッピング関係に応じて、サービス接続に割り当てられ、受信ユニット１００１によって受信されたサービス帯域幅情報に対応するサービスポリシーを決定するように構成されている決定ユニット１００２と、
決定ユニット１００２によって決定されたサービスポリシーに応じてサービス処理を実行するように構成されている処理ユニット１００３と、
を含む。
【０１０２】
上記から理解されるように、本実施形態では、ネットワークノードは、サービス接続に割り当てられ、マイクロ波リンクにより接続されたネットワークノードによって送信されたサービス帯域幅情報を受信し、割り当てられたサービス帯域幅情報に応じて、サービスポリシーを調整し得るので、マイクロ波リンクの帯域幅がサービス要件を満たすことができ、サービス輻輳が回避される。
【０１０３】
本発明の実施形態は、通信システムをさらに提供する。この通信システムは、本発明の実施形態において提供されたネットワークノードを含む。
【０１０４】
処理装置の各モジュールとシステムとの間の情報相互作用および実行プロセスの内容は、本発明の方法の実施形態と同じ概念に基づいている。したがって、具体的な内容は、本発明の方法の実施形態の説明が参照されてもよく、ここでは詳述されない。
【０１０５】
当業者は、前述の実施形態における方法の手順の全部または一部が関連ハードウェアに命令するプログラムによって実施されてもよいことを理解することができる。プログラムは、コンピュータ読み取り可能な記憶媒体に記憶されてもよい。プログラムが動くとき、個々の前述の実施形態における方法の手順が実行される。記憶媒体は、磁気ディスク、コンパクトディスク、リード・オンリー・メモリ（ＲＯＭ）、または、ランダム・アクセス・メモリ（ＲＡＭ）でもよい。
【０１０６】
本発明の実施形態において提供された帯域幅情報を通知する方法と、サービスを処理する方法と、ネットワークノードと、通信システムとは、以上に詳述されている。実施形態の上記説明は、本発明の方法および考え方の理解を助けるためだけに使用され、その一方で、当業者は、具体的な実施態様および用途範囲に変更を加えてもよい。結論として、本明細書の内容は、本発明の限定とみなされるべきではない。
【０１０７】
本願は、２００９年８月３１日付けで中国特許庁に出願された、「ＭＥＴＨＯＤ  ＦＯＲ  ＮＯＴＩＦＹＩＮＧ  ＢＡＮＤＷＩＤＴＨ  ＩＮＦＯＲＭＡＴＩＯＮ，ＭＥＴＨＯＤ  ＦＯＲ  ＰＲＯＣＥＳＳＩＮＧ  ＳＥＲＶＩＣＥ，ＮＥＴＷＯＲＫ  ＮＯＤＥ，ＡＮＤ  ＣＯＭＭＵＮＩＣＡＴＩＯＮ  ＳＹＳＴＥＭ」と題する中国特許出願第２００９１０１７２８７０．６号明細書の優先権を主張し、この中国特許出願は、参照によって本明細書にその全体が組み込まれている。
【図１】
2013503583.tif 000003
【図２】
2013503583.tif 000004
【図３】
2013503583.tif 000005
【図４】
2013503583.tif 000006
【図５】
2013503583.tif 000007
【図６】
2013503583.tif 000008
【図７】
2013503583.tif 000009
【図８】
2013503583.tif 000010
【図９】
2013503583.tif 000011
【図１０】
2013503583.tif 000012
【手続補正書】
【提出日】平成24年4月11日(2012.4.11)
【手続補正１】
【補正対象書類名】特許請求の範囲
【補正対象項目名】全文
【補正方法】変更
【補正の内容】
【特許請求の範囲】
【請求項１】
リンクの現在リンク帯域幅情報を取得することと、
リンク帯域幅情報と前記リンクを通過するサービス接続のサービス帯域幅情報との間のマッピング関係に応じて、前記現在リンク帯域幅情報に対応して、前記リンクが位置しているサービス接続に割り当てられたサービス帯域幅情報を決定することと、
前記サービス接続のエンドポイントが前記割り当てられたサービス帯域幅情報に応じてサービスポリシーを調整するように、前記割り当てられたサービス帯域幅情報を前記サービス接続の前記エンドポイントに前記サービス接続を介して送信することと、
を備える、帯域幅情報を通知する方法。
【請求項２】
前記リンクは、マイクロ波リンクであり、
前記リンクの前記現在リンク帯域幅情報を取得することは、
前記マイクロ波リンクの現在変調モードを検出することと、
前記現在変調モードの下で前記マイクロ波リンクの帯域幅情報を取得することと、
を含む、
請求項１に記載の帯域幅情報を通知する方法。
【請求項３】
前記割り当てられたサービス帯域幅情報を決定する前に、
前記現在リンク帯域幅情報が最適リンク帯域幅情報より低いかどうかを判定することをさらに備える、
請求項１または２に記載の帯域幅情報を通知する方法。
【請求項４】
前記割り当てられたサービス帯域幅情報を送信する前に、
前記割り当てられたサービス帯域幅情報が最適リンク帯域幅情報より低いかどうかを判定することをさらに備える、
請求項１または２に記載の帯域幅情報を通知する方法。
【請求項５】
リンクにより接続されたネットワークノードによってリンク帯域幅情報とサービス接続のサービス帯域幅情報との間のマッピング関係に応じて決定された、現在リンク帯域幅情報に対応する前記サービス接続に割り当てられたサービス帯域幅情報を受信することと、
サービス帯域幅情報とサービスポリシーとの間の予め定められたマッピング関係に応じて、前記割り当てられたサービス帯域幅情報に対応するサービスポリシーを決定することと、
前記決定されたサービスポリシーに応じてサービス処理を実行することと、
を備える、サービスを処理する方法。
【請求項６】
リンクの現在リンク帯域幅情報を取得するように構成されている取得ユニットと、
リンク帯域幅情報とサービス接続のサービス帯域幅情報との間のマッピング関係に応じて、前記取得ユニットによって取得された前記現在リンク帯域幅情報に対応して、前記リンクが位置しているサービス接続に割り当てられたサービス帯域幅情報を決定するように構成されている決定ユニットと、
前記サービス接続のエンドポイントが、前記決定ユニットによって決定されて前記サービス接続に割り当てられたサービス帯域幅情報に応じてサービスポリシーを調整するように、前記サービス帯域幅情報を前記サービス接続の前記エンドポイントに前記サービス接続を介して送信するように構成されている送信ユニットと、
を備える、ネットワークノード。
【請求項７】
前記リンクは、マイクロ波リンクであり、
前記取得ユニットは、
前記マイクロ波リンクの現在変調モードを検出するように構成されている変調モード検出ユニットと、
前記変調モード検出ユニットによって検出された前記現在変調モードの下で前記マイクロ波リンクの帯域幅情報を取得するように構成されている帯域幅情報取得ユニットと、
を備える、請求項６に記載のネットワークノード。
【請求項８】
前記取得ユニットによって取得された前記現在リンク帯域幅情報が最適リンク帯域幅情報より低いかどうかを判定するように構成されているリンク判定ユニットをさらに備え、
前記決定ユニットは、前記リンク判定ユニットが前記現在リンク帯域幅情報は前記最適リンク帯域幅情報より低いと判定したときに、前記リンク帯域幅情報と前記サービス帯域幅情報との間の前記マッピング関係に応じて、前記取得ユニットによって取得された前記現在リンク帯域幅情報に対応して、前記リンクが位置している前記サービス接続に割り当てられたサービス帯域幅情報を決定するように構成されている、
請求項６または７に記載のネットワークノード。
【請求項９】
前記決定ユニットによって決定されて前記サービス接続に割り当てられた前記サービス帯域幅情報が最適サービス帯域幅情報より低いかどうかを判定するように構成されているサービス判定ユニットをさらに備え、
前記送信ユニットは、前記サービス判定ユニットが前記割り当てられたサービス帯域幅情報は前記最適サービス帯域幅情報より低いと判定したときに、前記割り当てられたサービス帯域幅情報を前記サービス接続のエンドポイントへ前記サービス接続を介して送信するように構成されている、
請求項６または７に記載のネットワークノード。
【請求項１０】
リンクにより接続されたネットワークノードによって、リンク帯域幅情報とサービス接続のサービス帯域幅情報との間のマッピング関係に応じて決定されて現在リンク帯域幅情報に対応するサービス接続に割り当てられたサービス帯域幅情報を受信するように構成されている受信ユニットと、
サービス帯域幅情報とサービスポリシーとの間の予め定められたマッピング関係に応じて、前記受信ユニットによって受信された前記サービス接続に割り当てられたサービス帯域幅情報に対応するサービスポリシーを決定するように構成されている決定ユニットと、
前記決定ユニットによって決定された前記サービスポリシーに応じてサービス処理を実行するように構成されている処理ユニットと、
を備える、ネットワークノード。
【請求項１１】
請求項６〜９のいずれか１項に記載のネットワークノードと、
請求項１０に記載のネットワークノードと、
を備える通信システム。
【手続補正２】
【補正対象書類名】図面
【補正対象項目名】図７
【補正方法】変更
【補正の内容】
【図７】
2013503583.tif 000013
【国際調査報告】
2013503583.tif 000014
2013503583.tif 000015
2013503583.tif 000016
2013503583.tif 000017
2013503583.tif 000018
2013503583.tif 000019